(57)【要約】      （修正有）【課題】家庭から出される生ゴミの水分を除去し、分別して廃却できる生ゴミ用のゴミ箱を提供する。【解決手段】枡状のゴミ箱５０において、長方形状の紙を折って構成された枡状の本体部４と、本体部４の内底面６及び紙の折り合わせ面となる対面する２つの内側面８と該内側面８の背側の２つの外側面１８とを覆うように配設された長方形状の第１のプラスチックフィルムで構成された補強部１２と、本体部４の４つの外側面１８及び外底面２０を覆う長方形状の第２のプラスチックフィルムとを備え、本体部４の他の２つの内側面１４は紙の紙面が露出しており、第１のプラスチックフィルムは、内底面６及び紙の折り合わせ面となる対面する２つの内側面８と該内側面８の背側の２つの外側面１８に固着され、第２のプラスチックフィルムは、本体部４の４つの外側面１８及び外底面２０に固着されている。【選択図】図１
0003201155.tif 000002
【実用新案登録請求の範囲】
【請求項１】
枡状のゴミ箱において、
長方形状の紙を折って構成された枡状の本体部と、
前記本体部の内底面及び前記紙の折り合わせ面となる対面する２つの内側面と該内側面の背側の２つの外側面とを覆うように配設された長方形状の第１のプラスチックフィルムで構成された補強部と、
前記本体部の４つの外側面及び外底面を覆う長方形状の第２のプラスチックフィルムとを備え、
前記本体部の他の２つの内側面は前記紙の紙面が露出しており、
前記第１のプラスチックフィルムは、前記内底面及び前記紙の折り合わせ面となる対面する２つの前記内側面と該内側面の背側の２つの前記外側面に固着され、
前記第２のプラスチックフィルムは、前記本体部の４つの前記外側面及び前記外底面に固着されていることを特徴とするゴミ箱。
【請求項２】
前記補強部において、
前記内底面及び前記紙の折り合わせ面となる２つの前記内側面と該内側面の背側の２つの前記外側面の少なくとも上半分とを覆うように配設された長方形状の前記第１のプラスチックフィルムと、
該第１のプラスチックフィルムと２つの前記内側面と該内側面の背側の前記外側面との間に長方形状の紙を介装して固着したことを特徴とする請求項１に記載のゴミ箱。
【考案の詳細な説明】
【技術分野】
【０００１】
本考案は、紙とプラスチックフィルムを用いて作られたゴミ箱に関する。
【背景技術】
【０００２】
日常生活では、家庭からは毎日のようにゴミが排出されている。そのゴミの内容は生ゴミ、ペットボトルなどの可燃性のものから、ガラスビン、アルミカンなどの不燃性のものまで様々である。近年は、環境意識の高まりから、家庭ゴミの分別回収を行う自治体がほとんどである。自治体によって分別ルールは異なるものの、多くは可燃ゴミと不燃ゴミとの分別ルールがある。また、可燃ゴミでは、生ゴミとペットボトル等の分別が必要な自治体があり、さらに分別に厳格な自治体では、生ゴミも水分を切ってから排出することを要求している場合もある。
【０００３】
このような自治体の分別ルールは、今後ますます厳格になると考えられ、ゴミを排出する家庭側においても、そのような状況に対応していく必要がある。特に、生ゴミを分別用のゴミ廃棄袋に入れる前に、生ゴミから水分を切る作業については、調理時や食事の後片付け時に食品の切れ端や残飯から水分を除去する必要があり、調理時や食事の後片付け時には手間の掛かる作業となっている。
【０００４】
水分を含んだ食品の切れ端や残飯を捨てるためのゴミ箱としては、特許文献１に示すような、水分を含んだ生ゴミを入れても水もれを生じず、厚紙とプラスチックで構成されたコストの安いゴミ箱が開示されている。
【先行技術文献】
【特許文献】
【０００５】
【特許文献１】実公平６−２８４８１号公報
【考案の概要】
【考案が解決しようとする課題】
【０００６】
しかしながら、上述のような構成とすることで、ゴミ廃棄袋に生ゴミを捨てる前に生ゴミの水分を除去する作業が必要であり、また不十分な除去作業では、捨てられた生ゴミに水分が残ってしまうという不具合があった。
【０００７】
本考案では、ゴミ箱に捨てられた生ゴミの水分を除去し、生ゴミから除去された水分をゴミ箱の外部に漏らすことの無い、紙とプラスチックから構成された安価な生ゴミ用のゴミ箱を提供することを目的としている。
【課題を解決するための手段】
【０００８】
上記課題を解決するため、請求項１の考案は、例えば図１に示すように、ゴミ箱５０を次のように構成した。
すなわち、枡状のゴミ箱５０において、
長方形状の紙２を折って構成された枡状の本体部４と、
前記本体部４の内底面６及び前記紙２の折り合わせ面となる対面する２つの内側面８と該内側面８の背側の２つの外側面１８とを覆うように配設された長方形状の第１のプラスチックフィルム１０で構成された補強部１２と、
前記本体部４の４つの外側面１８及び外底面２０を覆う長方形状の第２のプラスチックフィルム２２とを備え、
前記本体部４の他の２つの内側面１４は前記紙２の紙面１６が露出しており、
前記第１のプラスチックフィルム１０は、前記内底面６及び前記紙２の折り合わせ面となる対面する２つの前記内側面８と該内側面８の背側の２つの前記外側面１８に固着され、
前記第２のプラスチックフィルム２２は、前記本体部４の４つの前記外側面１８及び前記外底面２０に固着されていることを特徴とするゴミ箱５０である。
【０００９】
さらに、請求項２の考案は、次の構成を含む。それは、
前記補強部１２において、
前記内底面６及び前記紙２の折り合わせ面となる２つの前記内側面８と該内側面８の背側の２つの前記外側面１８の少なくとも上半分とを覆うように配設された長方形状の前記第１のプラスチックフィルム１０と、
該第１のプラスチックフィルム１０と２つの前記内側面８と該内側面８の背側の前記外側面１８との間に長方形状の紙２４を介装して固着したことを特徴とする請求項１に記載のゴミ箱５０である。
【００１０】
本考案は、次のように作用する。
水分を含んだ生ゴミを本考案のゴミ箱５０に投入すると、第１のプラスチックフィルム１０で覆われておらず紙２の紙面１６が露出した内側面１４から水分が吸収され、生ゴミの水分が除去される。内側面１４に吸収された水分は、他の内側面８や内底面６にも拡散し、ゴミ箱５０の本体部４の紙２全体で水分を吸収し、保持する。また、第１のプラスチックフィルム１０から成る補強部１２により、水分を含んだ本体部４の紙２を内側からも補強している。一方、ゴミ箱５０の４つの外側面１８と外底面２０は第２のプラスチックフィルム２２で覆われているため水分を外部に漏らすことはない。
【考案の効果】
【００１１】
本考案によれば、ゴミ箱に投入された生ゴミの水分を本体部の紙が吸収して生ゴミから水分を除去するとともに、除去した水分を本体部の紙全体で保持するとともに、ゴミ箱の外部を覆う第２のプラスチックフィルムによって本体部から水分が漏れ出ないように構成した。また、本体部の内底面及び紙の折り合わせ面となる対面する２つの内側面とその内側面の背側の２つの外側面とを第１のプラスチックフィルムから成る補強部で覆うことで、水分を含んだ本体部の紙が破れないように補強している。このような構成とすることで、ゴミ箱から生ゴミを廃棄する時には水分はほとんど含まれておらず、生ゴミ廃棄時の自治体からの厳しい分別廃棄要求に対応することができるとともに、紙とプラスチックフィルムから構成されたコストの安い使い捨て可能なゴミ箱を提供することができる。
【００１２】
請求項２の考案によれば、補強部に紙を付加し、その紙と本体部側面とを固着することで本体部の強度が強化され、より大きなサイズのゴミ箱の製作が可能となり、生ゴミ量の増加に対応することができる。
【図面の簡単な説明】
【００１３】
【図１】本考案における一実施形態のゴミ箱の斜視図である。
【図２】本考案における一実施形態のゴミ箱の本体部と補強部の展開図である。
【図３】本考案における一実施形態のゴミ箱の本体部の展開図を作成する方法を示す図である。
【図４】本考案における一実施形態のゴミ箱の組立フロー図である。
【図５】本考案における他の実施形態のゴミ箱の斜視図である。
【図６】本考案における他の実施形態のゴミ箱の本体部と補強部の展開図である。
【図７】本考案における他の実施形態のゴミ箱の本体部の展開図を作成する方法を示す図である。
【図８】本考案における他の実施形態のゴミ箱の組立フロー図である。
【考案を実施するための形態】
【実施例１】
【００１４】
以下、本考案の実施例１を図１〜４によって説明する。
図１は、本考案にかかる一実施形態のゴミ箱５０を示す斜視図である。
ゴミ箱５０は、新聞紙、広告チラシ等不要となった紙２を折って作成した枡状の箱である本体部４と、ポリ袋などと同じポリエチレンを材料とする第１のプラスチックフィルム１０、第２のプラスチックフィルム２２とで構成された、天蓋の無い、枡状のコストの安いゴミ箱である。ゴミ箱５０の内側は、内底面６及び紙２の折り合わせ面となる対面する２つの内側面８とその内側面８の背側の２つの外側面１８は切れ目の無い長方形状の第１のプラスチックフィルム１０で構成された補強部１２で覆われている。他の２つの内側面１４は第１のプラスチックフィルム１０で覆われておらず、紙２の紙面１６が露出している。ゴミ箱５０の４つの外側面１８及び外底面２０は全て切れ目の無い長方形状の第２のプラスチックフィルム２２で覆われている。
【００１５】
以下に実施例１に示すゴミ箱５０の作り方について説明する。
図２〜４に従ってゴミ箱５０の本体部４の作り方について説明する。
図２は、本体部４を構成する長方形状の長手方向の長さをＬ、短手方向の長さＷの紙２の展開図である図２（Ａ）と、長方形状の長手方向の長さＬ、短手方向の長さ１／２Ｗの第１のプラスチックフィルム１０で構成された補強部１２の展開図である図２（Ｂ）を示している。図２（Ａ）では、紙２の山折りとなる部分を一点鎖線で、谷折りとなる部分を破線で示している。紙２をこれら山折り、谷折りの折り目に従って組み立てることで、本体部４を構成する枡状の紙箱を得ることができる。図２（Ｂ）では、後述するように本体部４の凹凸形状に合わせて山折りとなる部分を一点鎖線で、谷折りとなる部分を破線で示している。
【００１６】
これら一点鎖線と破線を有する展開図の作成方法を図３に示す。図３（Ａ）において、紙２を長手方向の中心線に沿って２つ折りにする。このとき、上端部を紙面の手前方向に、下端部に重ね合わせるようにして折り、図３（Ｂ）の形状を得る。図３（Ｂ）において、紙２を、さらに長手方向の中心線に沿って２つ折りにする。このとき、上端部を紙面の手前方向に、下端部に重ね合わせるようにして折り、図３（Ｃ）の形状を得る。図３（Ｃ）において、紙２の左右両端部分を１／４Ｗと同じ長さ分だけ、紙面の手前方向に上端部どうし及び下端部どうしを重ね合わせるように折り、図３（Ｄ）の形状を得る。図３（Ｄ）において、左右の上角部を１／４Ｗと同じ長さ分だけ、紙面の手前方向に左右の下端部と重ね合わせるように斜めに折り、図３（Ｅ）の形状を得る。図３（Ｅ）において、左右の下角部を１／４Ｗと同じ長さ分だけ、紙面の手前方向に左右の下端部と重ね合わせるように折り、図３（Ｆ）の形状を得る。図３（Ｆ）において、長方形状に折った紙２を元の長方形状の紙２に広げると、それぞれの折り目の跡が残された図３（Ｇ）を得る。
【００１７】
図３（Ｇ）において、３本の長手方向の折り目の内、紙面上、下から１、３番目の折り目は谷折りを示す線２ａ１、２ａ２となる。また、４本の短手方向の折り目の内、紙面上、左から２、３番目は谷折りを示す線２ａ３、２ａ４となる。短手方向の折り目の内、１、４番目の折り目において、紙２下端から、長手方向の第１の折り目と交わる点までは、山折りを示す線２ａ５、２ａ６となり、紙２上端から、長手方向の第３の折り目と交わる点までは、山折りを示す線２ａ７、２ａ８となる。また、短手方向の折り目の内、１、４番目の折り目において山折りを示す線２ａ５、２ａ６、２ａ７、及び２ａ８以外の部分は、谷折りを示す線２ａ９、２ａ１０となる。紙２下端及び長手方向の第１の折り目と短手方向の折り目に囲まれた領域にある斜めの折り目は、山折りを示す線２ａ１１、２ａ１２となる。
また、紙２上端及び長手方向の第３の折り目と短手方向の折り目に囲まれた領域にある斜めの折り目は、山折りを示す線２ａ１３、２ａ１４となる。山折りとなる部分を一点鎖線で、谷折りとなる部分を破線で示すと図３（Ｈ）を得る。
【００１８】
図４に実施例１のゴミ箱５０の組立フロー図を示す。
図４（Ａ）に示すように、上述のように山折り、谷折りの折り目が施された長方形状の紙２の下に、紙２に吸収された生ゴミの水分を外部に漏らさないために、紙２よりも各辺において若干大きな寸法を有する長方形状の第２のプラスチックフィルム２２を、紙２が中央に配置されるように接着剤等で固着する。このとき、接着剤を使用する場合は、紙、プラスチック用接着剤として市販されているものでよい。次に図４（Ｂ）に示すように、紙２よりも外側にある第２のプラスチックフィルム２２を紙２上に紙２を包むように折り重ね、接着剤等で固着する。次に図４（Ｃ）に示すように紙２上に施された山折り、谷折りの折り目に従って紙を折り込み、図４（Ｄ）を得る。このとき、折り合わせ面は接着剤等で固着する。次に図４（Ｅ）に示すように、水分を吸収するためにゴミ箱の内側面１４に露出した紙面１６を残しつつ、ゴミ箱５０の強度を強化するために長手方向の長さＬ、短手方向の長さ１／２Ｗを有する長方形状の第１のプラスチックフィルム１０で構成された補強部１２を図２（Ｂ）で示した山折り、谷折りの折り目に合わせて折り、本体部４の凹凸形状に合わせて、内底面６及び紙２の折り合わせ面を含んだ対面する２つの内側面８とその内側面８の背側の２つの外側面１８とを覆うように接着剤等で固着し、図４（Ｆ）に示すゴミ箱５０の組立が完了する。
【００１９】
このようにして完成されたゴミ箱５０において、生ゴミがゴミ箱５０に投入された場合、第１のプラスチックフィルム１０、第２のプラスチックフィルム２２に覆われておらず紙面１６が露出した内側面１４から生ゴミの水分が吸収される。内側面１４で吸収された水分は、他の内側面８及び内底面６に拡散し、本体部４の紙２全体で保持される。水分を含んだ紙２は、補強部１２によりゴミ箱５０の内側からも補強される。また、本体部の４つの外側面１８及び外底面２０は第２のプラスチックフィルム２２で覆われており、外部に水分が漏れることはない。このようにして、生ゴミに含まれた水分は、ゴミ箱５０に吸収され、生ゴミをゴミ廃棄袋に廃棄する際には、水分が除去された生ゴミがゴミ箱５０から廃棄されることになる。その後、ゴミ箱５０は乾燥させて再利用することも可能であり、また燃えるゴミとして分別廃棄することも可能である。
【実施例２】
【００２０】
以下、本考案の実施例２を図５〜８によって説明する。上述の実施例１と同様の説明については省略する。
図５は、本考案にかかるその他の実施形態のゴミ箱５０を示す斜視図である。
実施例２では、ゴミ箱５０を大容量化するためにゴミ箱５０の内側面と外側面を強化している。すなわち、補強部１２として、内底面６及び紙２の折り合わせ面となる対面する２つの内側面８とその内側面８の背側の２つの外側面１８とを覆う第１のプラスチックフィルム１０だけでなく、以下の構成を加えた。それは、ゴミ箱５０の本体部４の強度を補強するために、第１のプラスチックフィルム１０と２つの内側面８とその内側面８の背側の２つの外側面１８との間に、さらに２つの長方形状の紙２４を介装して補強し、本体部４の折り合せ面となる側面を本体部４の内外から強固に固着している。
【００２１】
以下に実施例２に示すゴミ箱５０の作り方について説明する。
図６〜８に従ってゴミ箱５０の本体部４の作り方について説明する。
図６は、本体部４を構成する長方形状の長手方向の長さをＬ、短手方向の長さＷの紙２の展開図である図６（Ａ）と長方形状の長手方向の長さ４／３Ｌ、短手方向の長さ１／２Ｗの第１のプラスチックフィルム１０及び第１のプラスチックフィルム１０の左右両端に固着された長方形状の長手方向の長さ１／３Ｌ、短手方向の長さ１／２Ｗの２つの紙２４で構成された補強部１２の展開図である図６（Ｂ）を示している。紙２の図６（Ａ）では、山折りとなる部分を一点鎖線で、谷折りとなる部分を破線で示している。紙２をこれら山折り、谷折りの折り目に従って組み立てることで、本体部４を構成する枡状の紙箱を得ることができる。図６（Ｂ）では、後述するように本体部４の凹凸形状に合わせて山折りとなる部分を一点鎖線で、谷折りとなる部分を破線で示している。
【００２２】
これら一点鎖線と破線を有する展開図の作成方法を図７に示す。図７（Ａ）において、紙２を長手方向の中心線に沿って２つ折りにする。このとき、上端部を紙面の手前方向に、下端部に重ね合わせるようにして折り、図７（Ｂ）の形状を得る。図７（Ｂ）において、紙２を、さらに長手方向の中心線に沿って２つ折りにする。このとき、上端部を紙面の手前方向に、下端部に重ね合わせるようにして折り、図７（Ｃ）の形状を得る。図７（Ｃ）において、紙２の左右両端部分を１／６Ｌと同じ長さ分だけ、紙面の手前方向に上端部どうし及び下端部どうしを重ね合わせるように折り、図７（Ｄ）の形状を得る。図７（Ｄ）において、左右の上角部を１／６Ｌと同じ長さ分だけ、紙面の手前方向に左右の下端部と重ね合わせるように斜めに折り、図７（Ｅ）の形状を得る。図７（Ｅ）において、左右の下角部を１／６Ｌと同じ長さ分だけ、紙面の手前方向に左右の下端部と重ね合わせるように折り、図７（Ｆ）の形状を得る。図７（Ｆ）において、長方形状に折った紙２を元の長方形状の紙２に広げると、それぞれの折り目の跡が残された図７（Ｇ）を得る。
【００２３】
図７（Ｇ）において、３本の長手方向の折り目の内、紙面上、下から１、３番目の折り目は谷折りを示す線２ｂ１、２ｂ２となる。また、４本の短手方向の折り目の内、紙面上、左から２、３番目の折り目において、紙２下端から、長手方向の第１の折り目と交わる点までは、山折りを示す線２ｂ３、２ｂ４となり、紙２上端から、長手方向の第３の折り目と交わる点までは、山折りを示す線２ｂ５、２ｂ６となる。また、短手方向の折り目の内、２、３番目の折り目において山折りを示す線２ｂ３、２ｂ４、２ｂ５、及び２ｂ６以外の部分は、谷折りを示す線２ｂ７、２ｂ８となる。紙２下端及び長手方向の第１の折り目と短手方向の折り目に囲まれた領域にある斜めの折り目は、谷折りを示す線２ｂ９、２ｂ１０となる。また、紙２上端及び長手方向の第３の折り目と短手方向の折り目に囲まれた領域にある斜めの折り目は、谷折りを示す線２ｂ１１、２ｂ１２となる。山折りとなる部分を一点鎖線で、谷折りとなる部分を破線で示すと図７（Ｈ）を得る。
【００２４】
図８に実施例２のゴミ箱５０の組立フロー図を示す。
図８（Ａ）に示すように、上述のように山折り、谷折りの折り目が施された長方形状の紙２の下に、紙２に吸収された生ゴミの水分を外部に漏らさないために、紙２よりも各辺において若干大きな寸法を有する長方形状の第２のプラスチックフィルム２２を、紙２が中央に配置されるように接着剤等で固着する。次に図８（Ｂ）に示すように、紙２よりも外側にある第２のプラスチックフィルム２２を紙２上に紙２を包むように折り重ね、接着剤等で固着する。次に図８（Ｃ）に示すように紙２上に施された山折り、谷折りの折り目に従って紙を折り込み、図８（Ｄ）を得る。このとき、折り合わせ面は接着剤等で固着する。次に図８（Ｅ）に示すように、水分を吸収するためにゴミ箱の内側面１４に露出した紙面１６を残しつつ、ゴミ箱５０の強度を強化するために長手方向の長さ４／３Ｌ、短手方向の長さ１／２Ｗを有する第１のプラスチックフィルム１０とさらに補強用の２つの紙２４で構成された補強部１２を図６（Ｂ）で示した山折り、谷折りの折り目に合わせて折り、本体部４の凹凸形状に合わせて、内底面６及び紙２の折り合わせ面を含んだ対面する２つの内側面８とその内側面８の背側の外側面１８の上半分を覆うように接着剤等で固着し、図８（Ｆ）に示すゴミ箱５０の組立が完了する。
【００２５】
このようにして完成されたゴミ箱５０において、生ゴミがゴミ箱５０に投入された場合、第１のプラスチックフィルム１０、第２のプラスチックフィルム２２に覆われておらず紙面１６が露出した内側面１４から生ゴミの水分が吸収される。内側面１４で吸収された水分は、他の内側面８及び内底面６に拡散し、本体部４の紙２全体で保持される。水分を含んだ紙２は、補強用の２つの紙２４を有して強度の増した補強部１２によりゴミ箱５０の内側からも補強される。また、本体部の外面は第２のプラスチックフィルム２２で覆われており、外部に水分が漏れることはない。このようにして、生ゴミに含まれた水分は、ゴミ箱５０に吸収され、生ゴミをゴミ廃棄袋に廃棄する際には、水分が除去された生ゴミがゴミ箱５０から廃棄されることになる。
【００２６】
ゴミ箱５０は、新聞紙、広告チラシなど不要な紙とポリ袋などポリエチレンを用いたプラスチックフィルムと接着剤があれば低コストで製作することができ、使い捨て可能な安価なゴミ箱を提供することができる。
その他に、当業者が想定できる範囲で種々の変更を行えることは勿論である。
【符号の説明】
【００２７】
２：紙、４：本体部、６：内底面、８：内側面、１０：第１のプラスチックフィルム、１２：補強部、１４：内側面、１６：紙面、１８：外側面、２０：外底面、２２：第２のプラスチックフィルム、２４：紙、５０：ゴミ箱、Ｌ：長手方向の長さ、Ｗ：短手方向の長さ、２ａ１、２ａ２、２ａ３、２ａ４、２ａ９、２ａ１０：谷折り線、２ａ５、２ａ６、２ａ７、２ａ８、２ａ１１、２ａ１２、２ａ１３、２ａ１４：山折り線、２ｂ１、２ｂ２、２ｂ７、２ｂ８、２ｂ９、２ｂ１０、２ｂ１１、２ｂ１２：谷折り線、２ｂ３、２ｂ４、２ｂ５、２ｂ６：山折り線
【図１】
0003201155.tif 000003
【図２】
0003201155.tif 000004
【図３】
0003201155.tif 000005
【図４】
0003201155.tif 000006
【図５】
0003201155.tif 000007
【図６】
0003201155.tif 000008
【図７】
0003201155.tif 000009
【図８】
0003201155.tif 000010